(57)【要約】【課題】異種の二重床に取り付け可能で高強度と低コストを実現できる。【解決手段】脚フレーム２０は鋼製であり、床スラブと床パネルの間に設置して二重床を形成する。床スラブ上に立設する一対の脚部２２と、一対の脚部２２を連結する連結部２３と、脚部２２の上端から張り出すと共に梁材を連結するための２列のボルト穴２４ａ、２４ｂが形成された支持プレート２６と、脚部２２の下端に固定された四角形板状のベースプレートとを備えた。ベースプレートの各辺にそれぞれ四つ以上のアンカーボルト打設用の穴を形成し、各辺のいずれかの穴にアンカーボルトを挿通して床スラブに打設する。支持プレート２６には、異種の梁材を選択的に固定するための２列のボルト穴２４ａ，２４ｂを平行に形成した。【選択図】図１
2014196608.tif 000002
【特許請求の範囲】
【請求項１】
床スラブの上に二重床を構築するための鋼製の架台であって、
前記床スラブ上に立設される複数の脚部と、前記脚部の下端に固定されていて複数のアンカーボルト打設用の穴が形成された多角形板状のベースプレートと、前記複数の脚部を連結する連結部と、前記脚部の上端に形成されていて異種の梁材を連結可能な複数組のボルト穴が形成された支持プレートと、を備えていることを特徴とする架台。
【請求項２】
前記支持プレートに形成された前記ボルト穴は、前記ボルトの装着位置を調整可能な円弧状に形成され、前記梁材は前記連結部に対して任意の角度に固定できるようにした請求項１に記載された架台。
【請求項３】
前記円弧状のボルト穴は前記ボルト穴の周方向と径方向の少なくとも一方に複数形成されている請求項２に記載された架台。
【請求項４】
前記ベースプレートは、各辺にそれぞれ四つ以上のアンカーボルト打設用の穴が形成されている四角形板状とされた請求項１から３のいずれか１項に記載された架台。
【発明の詳細な説明】
【技術分野】
【０００１】
本発明は、通信機械、電子計算機、電話交換機、空調機等のような重量装置類を設置した通信機械室やデータセンター等に用いる二重床を構築するための架台に関する。
【背景技術】
【０００２】
従来、通信機械等を設置した通信機械室や、電子計算機類を収納したラック等を設置したデータセンター等では床面に二重床を有している。例えば、特許文献１に示す通信機械室に形成された二重床では、図１０及び図１１に示すように、床スラブ１上に架台として脚フレーム２を固定し、この脚フレーム２上に梁材８を連結して、この梁材８上に通信機械や通路等としての床パネル３等を搭載している。
図１０及び図１１に示すように、脚フレーム２はベースプレート４上にレベル調整ボルト５を介して一対の脚部６が高さ方向に配列され、一対の脚部６同士が連結部７で連結されている。脚部６の上部には梁材８を固定するための支持部９が張り出している。この脚フレーム２ではベースプレート４は鋼製であるが、脚部６や支持部９やレベル調整ボルト５等はアルミ製とすることで軽量化されている。
【０００３】
そして、図１２に示す通信機械室用二重床では、床スラブ１に固定した脚フレーム２の支持部９上に梁材８がボルト等で連結され、一対の梁材８の間の一部は図示しない通信機械や空調機等が設置可能な領域Ｋとされ、更に通路となる空間Ｓには梁材８間に床パネル３が設置可能とされている。そして、二重床を構成する床スラブ１と通信機械や床パネル３等との間の空間に、通信機械冷却用の冷気が流通し、更には電気配線や通信配線等が配設されている。
【０００４】
また、図１３に示すデータセンター用の二重床では、図１０及び図１１に示す脚フレーム２に代えて、脚部として円柱状の脚部１２を一対採用して連結部１０によって連結し、円柱状の脚部１２の下部両側に一対のレベル調整ボルト５とベースプレート４とをそれぞれ設けた。そして、円柱状の脚部１２の上部に梁材１３を固定するための支持部１４を連結することで、脚フレーム１１を製作している。この脚フレーム１１では、各円柱状の脚部１２を必要な長さに切断することで高さを任意に設定可能としている。
データセンター用の二重床では、床スラブ１上に脚フレーム１１を所定間隔で複数配列した状態で、各支持部１４上に梁材１３をボルト等で連結して配列している。そして、一対の梁材１３間に電子計算機類を搭載したラック１７を設置したり、通路として床パネル３を設置したりしている。この脚フレーム１１もベースプレート４以外はアルミ製とされている。
【０００５】
一般に通信機械よりも電子計算機を搭載したラックの方が重量が大きいため、データセンターで設置する梁材１３の方が通信機械室で設置する梁材８よりも厚みが大きくその設置間隔も広く配列され、脚フレーム１１の高さも高くなっている。そのため、通信機械室用の脚フレーム２及び梁材８とデータセンター用の脚フレーム１１及び梁材１３とはそれぞれ別個のものが用いられている。
【先行技術文献】
【特許文献】
【０００６】
【特許文献１】特開２００４-２７８１８８号公報
【発明の概要】
【発明が解決しようとする課題】
【０００７】
ところで、通信機械室用の二重床では、通信機械の搭載に特化した構成を採用しているが、近年、寸法や重量の異なる多様な機器を搭載したい要望に対して自由度が小さかった。例えば、二重床の高さは４５０ｍｍに限定されていて変更ができなかった。二重床の上部に搭載する機器の奥行も６００ｍｍ、９００ｍｍ、１２００ｍｍに限定されており、寸法の異なる機器を搭載する場合には、別途ペデスタルという追加部材を梁材８上に設置する必要があり、煩雑であった。
【０００８】
また、データセンター用の二重床では上記問題点は改善されているが、二重床の高さを任意に設定するために脚フレーム１１の構成が複雑になり、コストの上昇を招いている。具体的には、二重床の高さが例えば６００ｍｍに高くなると床スラブ１に固定するアンカーボルトに負担がかかるため、アンカーボルトの本数を増大させる必要があった。しかし、現状のベースプレート４では１体について２本のアンカーボルトしか設置できないため、図１３に示すように片方の脚部にベースプレート４を２体用いているが、そのために脚部１２の下部を広げて２体のベースプレート４を接続させる部材を溶接しなければならなかった。
また、上述した従来の脚フレーム２，１１では脚部をアルミ製とすることで軽量化を達成しているが、製造に関する制約が大きくコスト上昇を招く要因になっていた。
【０００９】
本発明は、このような事情に鑑みてなされたものであり、異種の二重床に取り付け可能であり、高強度と低コストを実現できるようにした架台を提供することを目的とする。
【課題を解決するための手段】
【００１０】
本発明による架台は、床スラブの上に二重床を構築するための鋼製の架台であって、床スラブ上に立設される複数の脚部と、脚部の下端に固定されていて各辺にそれぞれ複数のアンカーボルト打設用の穴が形成された多角形板状のベースプレートと、複数の脚部を連結する連結部と、脚部の上端に形成されていて異種の梁材を連結可能な複数組のボルト穴が形成された支持プレートと、を備えていることを特徴とする。
本発明による架台によれば、異種の二重床に取り付け可能であると共に、架台が鋼製であるため強度が高く、しかもベースプレートの各辺に沿ってアンカーボルト打設用の穴を複数設けたため、１体のベースプレートでアンカーボルトを複数打設できて架台の支持強度が高く製作コストが低廉であり、梁材を搭載することでアンカーボルトにかかる負荷が大きくなっても二重床を安定して支持できる。
【００１１】
また、支持プレートには、梁材を連結するボルトの装着位置を調整可能な円弧状のボルト穴が形成され、梁材は連結部に対して任意の角度に固定できる。
本発明によれば、架台の配列方向に対して架台を任意の角度に設置することができ、しかも円弧状のボルト穴の任意の位置にボルトを挿通して梁材を支持プレートに固定できるため、搭載すべき機器のサイズに応じて、梁材同士の距離を設定できる。
【００１２】
また、円弧状のボルト穴はボルト穴の周方向と径方向の少なくとも一方に複数形成されていることが好ましい。
円弧状のボルト穴をその周方向と径方向の少なくとも一方に複数形成することで、複数のボルトを異なるボルト穴を選択して挿通させて梁材に固定することができるため、梁材同士の距離を一層任意に設定できて搭載すべき機器のサイズに対応できる。
【００１３】
また、ベースプレートは、各辺にそれぞれ四つ以上のアンカーボルト打設用の穴が形成されている四角形板状とされていることが好ましい。
本発明によれば、脚部を固定するベースプレートの各辺に沿ってアンカーボルト打設用の穴を四つ以上設けたため、アンカーボルトを各辺毎に少なくとも１本以上打設でき、一体のベースプレートで多数のアンカーボルトを打設できて架台の支持強度が高く製作コストが低廉であり、アンカーボルトにかかる負荷が大きくなっても二重床を安定して支持できる。
【発明の効果】
【００１４】
本発明による架台によれば、異なる機器を搭載するための梁材として、例えば通信機械用の梁材とデータセンター用の梁材のどちらでも選択的に支持プレート上に固定できるよう複数組の係止部を設けたため、架台を共通化できてコストを低下できる。
また、従来アルミ製であった架台の脚部と連結部と支持プレートとをベースプレートと同様に鋼製にしたので強度が高く、重量の比較的大きい機器を収納したデータセンター用ラックや通信機械等やその梁材等を搭載しても安定して支持でき、製作が容易で製造コストも低廉になる。
【図面の簡単な説明】
【００１５】
【図１】本発明の第一実施形態による脚フレームを示す要部平面図である。
【図２】図1に示す脚フレームの（ａ）は正面図、（ｂ）は側面図である。
【図３】脚フレームの脚部より下側を示す平面図である。
【図４】脚フレームの斜視図である。
【図５】実施形態による脚フレームに梁材を設置した斜視図である。
【図６】本発明の第二実施形態による脚フレームの斜視図である。
【図７】（ａ）、（ｂ）は支持プレートにボルトを締結する例を示す図である。
【図８】第二実施形態による脚フレームの支持プレートに梁材を取り付けた状態を示す平面図である。
【図９】図８における支持プレートに梁材を固定するボルトの締結位置を示す説明図である。
【図１０】従来の脚フレームの斜視図である。
【図１１】従来の脚フレームの正面図である。
【図１２】従来の脚フレームを装着した通信機械室用の二重床の要部斜視図である。
【図１３】従来の脚フレームを装着したデータセンター用の二重床の要部斜視図である。
【発明を実施するための形態】
【００１６】
以下、本発明の実施形態による二重床用の脚フレームとしての架台について添付図面に基づいて説明するが、上述した従来技術と同一または同様な部材には同一の符号を用いて説明を省略する。
図１乃至図５は本発明の第一実施形態による脚フレーム２０を示すものである。
本実施形態における脚フレーム２０は、概略で床スラブ１にアンカーボルト１８で固着される一対のベースプレート２１と、各ベースプレート２１に支持された一対の脚部２２と、一対の脚部２２同士をその上部で連結する連結部２３とを備えて略コの字形状とされている。各脚部２２の上端面には、通信機械室用の梁材８またはデータセンター用の梁材１３等を搭載して締結ボルト等で固定するための２列のボルト穴２４ａ、２４ｂが配列された支持プレート２６が固定されている。
【００１７】
ここで、データセンター用の梁材１３は通信機械用の梁材８よりもその上に搭載する重量が一般的に大きいため、梁材１３の方が厚みが大きく配列間隔も大きくなる。そのため、支持プレート２６の平坦な表面２６ａにおいて、データセンター用の梁材１３または通信機械用の梁材８をそれぞれ固定するための２列のボルト穴２４ａ、２４ｂが支持プレート２６の延びる方向に平行に配列されている。しかも、２列のボルト穴２４ａ、２４ｂの間隔は、通信機械室用の梁材８またはデータセンター用の梁材１３をボルトで選択的に固定できるように幅の狭い方の梁材８に合わせて形成しておく。
【００１８】
一対の脚部２２は例えば断面略コの字状に形成されており、その開口は内側を向いている。一対の脚部２２の上端部は例えば断面略Ｌ字形状の連結部２３によって溶接等で連結されており、例えば連結部２３の断面略Ｌ字の両端面が断面コの字状の脚部２２内の中央の平面２２ａに溶接等で固定されている。各脚部２２と連結部２３には例えば略直角三角形形状の補強板２８の二辺がそれぞれ溶接等で連結されている。
【００１９】
脚部２２の下端部に固定されたベースプレート２１は略四角形板状に形成され、その中央に高さ調整ねじ２９が垂直に起立して固定されている。本実施形態では、脚フレーム２０の高さは、二重床の仕上げ面で高さ６００ｍｍに設定されている。
しかし、高さ調整ねじ２９によって脚部２２の高さを調整可能である。高さ調整ねじ２９は脚部２２の平面２２ａに形成された孔を貫通して上方に延びており、平面２２ａを挟む上下にはナット２７ａ、２７ｂが高さ調整ねじ２９に螺合されている。そのため、ナット２７ａ、２７ｂを回転させることで脚部２２の高さを増減調整でき、脚フレーム２０全体の高さを調整できる。
【００２０】
また、図３において、ベースプレート２１は四角形板状に形成され、高さ調整ねじ２９が中央に固定されており、その四辺に沿って略等間隔に各辺毎に４個ずつ合計１２個のアンカーボルト装着用の穴２５が形成されている。そして、アンカーボルト１８をベースプレート２１の穴２５を通して床スラブ１に打設する場合、少なくとも各辺に１本のアンカーボルト１８を打設することが脚フレーム２０の支持強度を確保する上で好ましい。
アンカーボルト１８を打設する際、床スラブ１内には鉄筋が適宜間隔で埋設されているので、鉄筋と干渉しない位置にアンカーボルト１８を打設して脚フレーム２０の固定強度を確保する。打設したアンカーボルト１８が鉄筋と干渉した場合には、鉄筋と干渉しない他の穴２５にアンカーボルト１８を打設し直す必要がある。
【００２１】
図４に示す構成を備えた第一実施形態による脚フレーム２０を、例えば図５に示すように配列し、各支持プレート２６上に通信機械用の梁材８またはデータセンター用の梁材１３を載置し、各ボルト穴２４ａ、２４ｂを通してボルトで連結する。
【００２２】
上述のように、本第一実施形態による二重床用の脚フレーム２０によれば、通信機械用の梁材８とデータセンター用の梁材１３のどちらでも選択的に支持プレート２６に固定できるようにして共用できるため、コストを低下できる。
また、従来アルミ製であった脚フレーム２０の脚部２２と高さ調整ねじ２９と連結部２３と補強板２８とをベースプレート２１と同様に鋼製にしたので、通信機械はもとより強度が高く重量の比較的大きい電子計算機を収納したデータセンター用のラック１７や梁材８、１３等を搭載しても安定して支持でき、製作が容易で製造コストも低廉になる。
また、脚フレーム２０のベースプレート２１についてベースプレート２１の四辺に各４個以上の穴２５を形成して、アンカーボルト１８を各辺毎に少なくとも１本、合計４本以上打設するようにしたから、脚フレーム２０の構成を単純化できて施工性も向上し、高強度で工期の短縮とコスト低減を実現できる。
【００２３】
なお、本発明による脚フレーム２０は上述した構成に限定されるものではなく、本発明の要旨を逸脱しない限り適宜の変更や置換等を採用できる。
次に本発明の第二実施形態による脚フレーム３０について図６乃至図９により説明するが、上述した第一実施形態による脚フレーム２０と同一または同様な部材や部品には同一の符号を用いて説明する。
【００２４】
図６に示す第二実施形態による脚フレーム３０は、支持プレート３１以外の構成は第一実施形態による脚フレーム２０と同一構成を有している。支持プレート３１は例えば鋼製で円盤形状とされ、上下面を貫通して円弧状のボルト穴３２がルーズホールとして形成されている。しかも、この円弧状のボルト穴３２は同心円状に複数条（図では４条）互いに分離して形成されており、しかも径方向に複数列、例えば二列に形成されている。ここで、外側の円弧状のボルト穴３２を第一ボルト穴３２ａとし、内側のボルト穴３２を第二ボルト穴３２ｂとする。第一ボルト穴３２ａ同士の仕切り部と第二ボルト穴３２ｂ同士の仕切り部は周方向にずれていることが強度を向上させる上で好ましい。
また、支持プレート３１と梁材８，１３を固定するためのボルト３３は、円弧状のボルト穴３２の長手方向に沿って移動可能で任意の位置で梁材８，１３と締結固定できる。
【００２５】
図７は支持プレート３１のボルト穴３２とボルト３３との位置関係の例を示す図である。図７（ａ）は幅広の梁材８、１３を固定する例を示すものであり、梁材８，１３の配列方向に沿って、各第一ボルト穴３２ａの一方の端部にそれぞれ１本ずつボルト３３を挿通させて梁材８，１３に固定する。
また、図７（ｂ）は幅狭の梁材８、１３を固定する例を示すものであり、対向する一対の第一ボルト穴３２ａと第二ボルト穴３２ｂにそれぞれ１本ずつボルト３３を挿通させて梁材８，１３に固定する。
上述の例において、各ボルト３３は平行な２列の直線方向に配列されており、梁材８，１３の幅の変化に応じて装着できる。
【００２６】
また、第二実施形態による脚フレーム３０によれば、複数の脚フレーム３０は同一方向に配列する場合、脚フレーム３０の設置方向を脚フレーム３０の配列方向に直交する方向だけでなく、任意の角度にずらして設置することができる。
そのような脚フレーム３０の配列構成を図８に示す。図８において、脚フレーム３０はその配列方向に対して斜めに（即ち連結部２３が斜めに）なるように設置した。このような場合、例えば梁材８、１３に載置するラックや通信機器等の各種機器３５の奥行サイズＭが脚フレーム３０の幅より短い場合でも設置可能である。
【００２７】
上述のように本第二実施形態による脚フレーム３０は、脚フレーム３０の配列方向に対して傾斜する位置に設置可能で、しかも支持プレート３１の各ボルト穴３２の任意の位置でボルト３３を梁材８，１３に締結できるから、搭載される通信機器やラック１７等各種の機器の奥行サイズＭの変化に幅広く対応できる。
【００２８】
また、本発明の変形例として、上述の実施形態では脚部２２は断面コの字状に形成されているが、そのような断面形状に限定されることなく、適宜の形状を作用できる。例えば脚部２２の断面を円弧状やＬ字状や平板状等、適宜の断面形状を採用できる。連結部２３の断面形状についても同様に適宜の形状を採用できる。
【００２９】
また、ベースプレート２１は、上述の各実施形態では四角形板状に形成されていて各辺にアンカーボルト打設用の穴２５を４個以上配列形成した構成を有しているが、本発明はこのような構成に限定されるものではなく、各辺毎に４個以上のアンカーボルト挿通用の穴２５を形成してなる五角形板状等適宜の多角形板状に形成することができる。
【００３０】
なお、支持プレート３１は円形板状に限定されることなく楕円板状等でもよい。また、支持プレート３１を四角形等の多角形に形成してボルト穴３２を円弧状に形成するようにしてもよい。また、支持プレート３１における円弧状のボルト穴３２について、１条や２条程度だけ設けてもよく必ずしも全周に亘って円形をなすように複数配列しなくてもよい。また、円弧状のボルト穴３２について径方向に２列重ねて設けたが、１列でもよく、或いは３列以上の複数列設けてもよい。
【符号の説明】
【００３１】
１  床スラブ
３  床パネル
８，１３  梁材
１７  ラック
１８  アンカーボルト
２０、３０  脚フレーム
２１  ベースプレート
２２  脚部
２３  連結部
２５  穴
２６、３１  支持プレート
２４ａ，２４ｂ，３２，３２ａ、３２ｂ  ボルト穴
３３  ボルト
【図１】
2014196608.tif 000003
【図２】
2014196608.tif 000004
【図３】
2014196608.tif 000005
【図４】
2014196608.tif 000006
【図５】
2014196608.tif 000007
【図６】
2014196608.tif 000008
【図７】
2014196608.tif 000009
【図８】
2014196608.tif 000010
【図９】
2014196608.tif 000011
【図１０】
2014196608.tif 000012
【図１１】
2014196608.tif 000013
【図１２】
2014196608.tif 000014
【図１３】
2014196608.tif 000015